(57)【要約】【課題】高いメンテナンス性を維持しつつも、安定して筐体の内部装置を保持する音響調節機器の筐体構造を提供する。【解決手段】表示部（５０）及び操作部（６０）を配する表面板（１１）を有する上部筐体（１０）と、内部基板（７０）を配する底面板（２１）を有し上部筐体（１０）と一体に組みつけられる下部筐体（２０）とにより、函型の筐体を構成する音響調節機器（１）の筐体構造であって、上部筐体（１０）の表面板（１１）の端部から下方に連設される上部側面板（３１）と、下部筐体（２０）の底面板（２１）の端部から上方に連設される下部側面板（３２）とにより、表面板（１１）と底面板（２１）の間の側面を囲う側面板（３０）が構成され、上部筐体（１０）を下部筐体（２０）から離間させる開状態で、上部側面板（３１）と下部側面板（３２）とが分割するように構成した。【選択図】図２
2016127164.tif 000002
【特許請求の範囲】
【請求項１】
表面板を有する上部筐体と、底面板を有し前記上部筐体と一体に組みつけられる下部筐体とにより、函型の筐体を構成する音響調節機器の筐体構造であって、
前記上部筐体の前記表面板の端部から下方に連設される上部側面板と、前記下部筐体の前記底面板の端部から上方に連設される下部側面板とにより、前記表面板と前記底面板の間の側面を囲う側面板が構成され、
前記下部筐体の支持部が前記上部筐体の前記上部側面板を支持しつつ前記上部筐体を前記下部筐体から離間させる開状態で、前記上部側面板と前記下部側面板とが分割するように構成した
ことを特徴とする音響調節機器の筐体構造。
【請求項２】
前記上部側面板には、断面形状において、
前記下部側面板の第一受部に当接する第一当接部と、
前記第一当接部よりも上部筐体の内側に形成され前記下部側面板の第二受部に当接する第二当接部と、を有する
ことを特徴とする請求項１に記載の音響調節機器の筐体構造。
【請求項３】
前記上部側面板の下端には、内側に傾斜するガイド部を有する
ことを特徴とする請求項１または２に記載の音響調節機器の筐体構造。
【請求項４】
前記支持部は軸形状であり、
前記上部側面板には、前記支持部に対して回動させるための軸受溝が形成される
ことを特徴とする請求項１乃至請求項３のいずれか１項に記載の音響調節機器の筐体構造。
【発明の詳細な説明】
【技術分野】
【０００１】
本発明は、ミキサー装置など内部に基板を有する音響調節機器の筐体構造に関する。
【背景技術】
【０００２】
従来、例えば特許文献１に示すように、ミキサー装置など音響調節機器の筐体構造がある。この種の音響調節機器の筐体構造は、ディスプレイや多数の操作子を配した上面部と、側面部と、設置場所などに載置される底面部とで囲まれた函型の筐体を備えている。
【０００３】
特許文献１における音響調節機器の上面部は、操作パネルと表示パネルが境界部を挟んで構成された筐体構造である。そして、メンテナンス時に、上面部を底面部から離間させると、上面部のうち境界部より前方の操作パネルが、操作子基板を下面に取り付けた状態で底面部から離間したまま保持される。このように、メンテナンス時に操作パネルが底面部から離間した状態で保持されることにより、操作者が操作子基板にアクセスしやすくなるため、メンテナンス性が向上する。
【先行技術文献】
【特許文献】
【０００４】
【特許文献１】特開２０１０−１７１２２６号公報
【発明の概要】
【発明が解決しようとする課題】
【０００５】
しかしながら、操作パネルは一般的に薄い構造体であるため、強度が弱く、操作子基板を付帯した状態のまま操作パネルを固定していると、操作子基板等の内部装置を安全に保持できないおそれがあった。
【０００６】
本発明は上述の点に鑑みてなされたものでありその目的は、高いメンテナンス性を維持しつつも、安定して筐体の内部装置を保持する音響調節機器の筐体構造を提供することにある。
【課題を解決するための手段】
【０００７】
上記課題を解決するため、本発明にかかる音響調節機器（１）の筐体構造は、表面板（１１）を有する上部筐体（１０）と、底面板（２１）を有し上部筐体（１０）と一体に組みつけられる下部筐体（２０）とにより、函型の筐体を構成する音響調節機器（１）の筐体構造であって、上部筐体（１０）の表面板（１１）の端部から下方に連設される上部側面板（３１）と、下部筐体（２０）の底面板（２１）の端部から上方に連設される下部側面板（３２）とにより、表面板（１１）と底面板（２１）の間の側面を囲う側面板（３０）が構成され、下部筐体（２０）の支持部（２５）が上部筐体（１０）の上部側面板（３１）を支持しつつ上部筐体（１０）を下部筐体（２０）から離間させる開状態で、上部側面板（３１）と下部側面板（３２）とが分割するように構成したことを特徴とする。
【０００８】
このように、側面板（３０）を、上部筐体（１０）の上部側面板（３１）と下部筐体（２０）の下部側面板（３２）との２部材から構成し、上部筐体（１０）を下部筐体（２０）から離間させた場合に、側面板（３０）の上部側面板（３１）と下部側面板（３２）とが分割する構成とすると、上部側面板（３１）が表面板（１１）の側面の姿勢を保持することとなる。このように、筐体の開状態において、上部側面板（３１）が表面板（１１）の左右側面を支持する構成であると、上部筐体（１０）の側面の剛性が高まり、上部筐体（１０）が下部筐体（２０）から離間して支持された状態であっても上部筐体（１０）が安定的に保持される。これにより、操作者が筐体の内部にアクセスしやすくなり、高いメンテナンス性を維持することができる。また、上部筐体（１０）の剛性が高まったことで、上部筐体（１０）に設置される表示部（５０）や操作部（６０）に関連する基板をも安定して保持することができる。よって、高いメンテナンス性を維持しつつも、安定して筐体の内部装置を保持することができる。
【０００９】
また、上記構成の音響調節機器（１）の筐体構造において、上部側面板（３１）には、断面形状において、下部側面板（３２）の第一受部（３２Ａ）に当接する第一当接部（３１Ａ）と、第一当接部（３１Ａ）よりも上部筐体（１０）の内側に形成され下部側面板（３２）の第二受部（３２Ｂ）に当接する第二当接部（３１Ｂ）と、を有することが好ましい。このように、上部側面板（３１）が、下部側面板（３２）に対して、２箇所で当接するように構成することで、確実に側面板（３０）の姿勢を保ち、安定して筐体の内部装置を保持することができる。
【００１０】
また、上記構成の音響調節機器（１）の筐体構造において、上部側面板（３１）の下端には、内側に傾斜するガイド部（３１Ｃ）を有することとしてもよい。このように構成すると、筐体を開状態から閉状態にする際、上部側面板３１の下端と下部側面板３２の上端が当接する場合に、ガイド部（３１Ｃ）が、上部側面板（３１）を下部側面板（３２）の内側に確実に案内するため、上部筐体（１０）を下部筐体（２０）に対して円滑に組み付けることができる。
【００１１】
また、上記構成の音響調節機器（１）の筐体構造において、上部側面板（３１）には、支持部（２５）に対して回動させるための軸受溝（３１Ｘ）が形成されることとしてもよい。これにより、上部筐体（１０）を下部筐体（２０）から離間させる際に、軸受溝（３１Ｘ）を支持部（２５）に当接させて支持部（２５）を回転中心として移動させれば、上部筐体（１０）を回動させることのみの動作で、上部筐体（１０）を下部筐体（２０）から離間させることができる。すると、上部筐体（１０）に重量がある場合でも、上部筐体（１０）を少ない操作力で開状態にすることができる。すると、操作者が筐体内部にアクセスしやすくなり、メンテナンス性がさらに向上する。
なお、上記の括弧内の符号は、後述する実施形態の対応する構成要素の符号を本発明の一例として示したものである。
【発明の効果】
【００１２】
本発明にかかる音響調節機器の筐体構造によれば、高いメンテナンス性を維持しつつも、安定して筐体の内部装置を保持する音響調節機器の筐体構造を提供することができる。
【図面の簡単な説明】
【００１３】
【図１】ミキサー装置の閉状態の全体斜視図である。
【図２】ミキサー装置の開状態の全体斜視図である。
【図３】ミキサー装置の開状態の側面図である。
【図４】ミキサー装置の閉状態の側面図である。
【図５】ミキサー装置の閉状態の側面板の拡大断面図で、（ａ）は図４のＸ−Ｘ断面図、（ｂ）は図４のＹ−Ｙ断面図である。
【図６】ミキサー装置を閉状態から開状態にする場合の手順を説明する側面図であり、（ａ）は閉状態の図、（ｂ）は上部筐体を手前側に動かした状態の図、（ｃ）は開状態の図である。
【図７】ミキサー装置の変形例を示す図である。
【発明を実施するための形態】
【００１４】
以下、添付の図面を参照して本発明の実施形態を詳細に説明する。まず、図１及び図２を用いて全体の概略構成を説明する。図１は、ミキサー装置１の閉状態の全体斜視図である。図２は、ミキサー装置１の開状態の全体斜視図である。図３は、ミキサー装置１の開状態の側面図である。なお、ミキサー装置１の閉状態とは、口述する側面板３０の上部側面板３１が下部側面板３２に対して当接した状態であり、ミキサー装置１の開状態とは、側面板３０の上部側面板３１が下部側面板３２から離間して側面板３０が分割された状態のことをいう。また、以下の説明では、ミキサー装置１の操作者側を手前側、その反対側を奥側という。また、ミキサー装置１の手前側からみた両側を左右あるいは横方向という。また、各部品における方向を示す場合は、各部品をミキサー装置１に取り付けた状態での方向で示す。
【００１５】
図１に示すように、ミキサー装置１（音響調節機器）の筐体は、上部筐体１０と下部筐体２０とから構成され、上部筐体１０と下部筐体２０とを一体に組みつけることで函型に構成される。具体的には、上部筐体１０の表面板１１と下部筐体２０の底面板２１との間の側面を側面板３０で囲うことで、函型になる。側面板３０は、上部筐体１０の表面板１１の端部から下方に連設される上部側面板３１と、下部筐体２０の底面板２１の端部から上方に連設される下部側面板３２とにより構成される。上部筐体１０の表面板１１は、奥側で上方に配設される表示パネル部５１と手前側で下方に配設される操作パネル部６１から構成される。
【００１６】
上部筐体１０の上方には表示部５０が形成される。表示部５０の表面をなす表示パネル部５１は、ディスプレイ５２が操作者に向くように、操作部６０よりも立ち上がるように構成される。表示部５０は、表示パネル部５１と、表示パネル部５１の裏側に設置された不図示のディスプレイ基板と、当該ディスプレイ基板に設置されたディスプレイ５２と、ディスプレイ５２の表示を操作するための各種の操作子を有する。ここでの各種の操作子は、スイッチ類５３、ロータリーボリューム５４が含まれる。
【００１７】
上部筐体１０における表示部５０より手前側には操作部６０が形成される。操作部６０の表面をなす操作パネル部６１は、表示パネル部５１よりも傾斜角度が緩くなるように形成される。操作部６０は、操作パネル部６１と、操作パネル部６１の裏側に設置された不図示の操作子基板と、当該操作子基板に取り付けられる各種の操作子とを有する。各種の操作子は、操作パネル部６１に設けられる小孔を貫通して操作パネル部６１の表面に露出している。ここでの各種の操作子は、スイッチ類６２、フェーダ操作子６３が含まれる。また、操作パネル部６１には、液晶表示部６４などの電子機器類も設置される。操作パネル部６１上のフェーダ操作子６３は、ミキサー装置１の前後方向に沿って直線状にスライド移動が可能である。なお、フェーダ操作子６３は手動操作で移動するように構成されているが、電気的に駆動するためのモータ（図示せず）を併設してよい。
【００１８】
なお、上部筐体１０の内部に付帯される内部装置として、ディスプレイ基板と操作子基板を例示したが、これに限るものではない。上部筐体１０の強度の範囲内であれば、上部筐体１０の表面側の機器を操作又は制御するその他の基板類、ケーブル類等を、上部筐体１０の内部装置として付帯することとしてもよい。
【００１９】
図２に示すように、ミキサー装置１の上部筐体１０と下部筐体２０とは、側面板３０において分割可能であり、操作者がメンテナンスを行う場合には、上部筐体１０を下部筐体２０から離間させた開状態にする。開状態において、上部側面板３１と下部側面板３２とが分割すると、下部筐体２０の下部側面板３２に付帯された回動支持軸２５（支持部）に対して、上部筐体１０の上部側面板３１の軸受溝３１Ｘが係合する。これにより、上部筐体１０は下部筐体２０に対して支持される。
【００２０】
下部筐体２０には、ミキサー装置１全体を制御する回路基板７０が、底面板２１上の奥側に配置される。底面板２１の奥側には、回路基板７０のほか、各種端子が付帯される拡張ボードを装着する拡張ボード装着部や、電源ユニット、電源コードの端子を接続するための電源端子部、送風ファンなどの内部装置が設けられる。
【００２１】
また、図２及び図３に示すように、ミキサー装置１の開状態では、側面板３０の表面積において所定の割合で上部側面板３１と下部側面板３２とに分離する。このとき、上部側面板３１の表面積と下部側面板３２の表面積の比率が約１対１の関係になるように構成すると、上部筐体１０の剛性が高くなる一方で、下部筐体２０の剛性をも高く維持し、装置としての安定性もまるので、好ましい。なお、側面板３０の分割割合は必ずしもこれ限定されるものではなく、回動して開く方の上部筐体１０の上部側面板３１に十分な強度があればよく、例えば、上部側面板３１側の表面積と下部側面板３２の表面積とが、１対２、１対３、２対３等の他の関係になるようにしてもよい。なお、これに限るものではなく、上部筐体１０が安定的に開状態になる範囲であれば、上部側面板３１の表面積を下部側面板３２の表面積よりも大きくしてもかまわない。また、本実施形態と同様、上部側面板３１と下部側面板３２のそれぞれの形状について、手前側から奥側まで一定の幅でなくともよい。
【００２２】
上部側面板３１のうち、下部側面板３２と対向する下方側の側面全域には、上部側面板３１が内側方向に一段折れ曲がることで段差が形成され、これが第一当接部３１Ａとなる。また、上部側面板３１の下端部の数箇所が後述の下部側面板３２の第二受部３２Ｂに当接する第二当接部３１Ｂとなる。上部側面板３１の下端部のうち、第二当接部３１Ｂが形成されない部分は、筐体の内側に傾斜するように折り曲げられることでガイド部３１Ｃとなる。ガイド部３１Ｃの具体的な構成は後述する。
【００２３】
一方、下部側面板３２のうち、上部側面板３１と対向する上端全域が第一当接部３１Ａを下方で受ける第一受部３２Ａとなる。さらに、下部側面板３２の第一受部３２Ａよりも下方の数箇所には第二受部３２Ｂが形成される。第二受部３２Ｂは、下部側面板３２の一部を内側へ水平方向に折って形成され、第二当接部３１Ｂを受ける。なお、本実施形態においては、上部側面板３１の第二当接部３１Ｂ及び第二受部３２Ｂが３箇所ずつ形成されるが、これに限るものではなく、第二当接部３１Ｂ及び第二受部３２Ｂの数は装置の大きさにより適宜設定し得る。
【００２４】
また、上部側面板３１の手前側には、手前側に開口した半円状の係合溝である軸受溝３１Ｘが形成される一方、下部側面板３２には、筐体の内側方向に突設した軸形状の回動支持軸２５を有する。この構成により、図２及び図３に示す開状態においては、上部筐体１０の軸受溝３１Ｘが、下部筐体２０の回動支持軸２５の上で保持される。
【００２５】
次に、ミキサー装置１の側面板３０の係合構造について、図４乃び図５を用いて説明する。図４は、ミキサー装置１の閉状態の側面図である。図５は、ミキサー装置１の閉状態の側面板３０の拡大断面図で、（ａ）は図４のＸ−Ｘ断面図、（ｂ）は図４のＹ−Ｙ断面図である。
【００２６】
ミキサー装置１の閉状態において、図４の破線で示すように、上部側面板３１の下方が、下部側面板３２の内側に入り込むことで、上部筐体１０の下部筐体２０に対する位置決めがなされる。より具体的には、断面形状を示す図５（ｂ）に示すように、上部側面板３１の第一当接部３１Ａが下部側面板３２の第一受部３２Ａに当接する一方、図５（ａ）に示すように、第一当接部３１Ａよりも上部筐体１０の内側に形成される第二当接部３１Ｂは、下部側面板３２の第二受部３２Ｂに当接する。これにより、上部筐体１０の上部側面板３１の下端が、下部筐体２０の下部側面板３２に対して鉛直方向の位置決めがなされるため、上部筐体１０が下部筐体２０に対して位置決めされる。
【００２７】
また、図５に示すように、ガイド部３１Ｃは、上述のように上部側面板３１に対して傾斜して折り曲げられ、第一当接部３１Ａや第二当接部３１Ｂよりも下方にまで延設される。この構成により、上部筐体１０を下部筐体２０に対して閉じる動作の際、ガイド部３１Ｃの表面が第一当接部３１Ａや第二当接部３１Ｂに先行して第一受部３２Ａや第二受部３２Ｂに当接する。この際、ガイド部３１Ｃは内側に傾斜しているため、上部側面板３１が下部側面板３２よりも内部側に案内される。
【００２８】
以上の構成のミキサー装置１のメンテナンス時には、上部筐体１０を下部筐体２０に対して上方に動かして、閉状態から開状態にする。図６は、ミキサー装置１を閉状態から開状態にする場合の手順を説明する側面図であり、（ａ）は閉状態の図、（ｂ）は上部筐体１０を手前側に動かした状態の図、（ｃ）は開状態の図である。
【００２９】
図６（ａ）に示すように、ミキサー装置１の背面には、上部筐体１０の固定部１８と、下部筐体２０の固定部２８とが互いに係合または嵌合するように構成される。このため、操作者がメンテナンスを行う際には、固定部１８と固定部２８との固定構造を解除する。この状態において、上部筐体１０の手前側に形成される軸受溝３１Ｘと、下部筐体２０の手前側に配置される回動支持軸２５とは当接していない状態である。
【００３０】
図６（ｂ）に示すように、操作者が上部筐体１０を手前側に水平にスライドさせる。すると、軸受溝３１Ｘが回動支持軸２５に当接して止まる。軸受溝３１Ｘと回動支持軸２５とが当接した状態で、図６（ｃ）に示すように、操作者が上部筐体１０を上方に持ち上げると、側面板３０の上部側面板３１と下部側面板３２とが分離し、上部筐体１０は下部筐体２０から離間する。これにより、上部筐体１０と下部筐体２０との間に配置される回路基板７０などの内部装置に操作者がアクセスしやすくなる。特に、本実施形態では、上部筐体１０の内部の配線と下部筐体２０の内部の配線とは互いにミキサー装置１の内部の手前側でつながっているため、開状態において、配線がミキサー装置１の手前側に集中する。このように構成すると、開状態において、ミキサー装置１の側面や奥側から内部装置にアクセスしやすくなる。
【００３１】
以上説明したように、本実施形態のミキサー装置１の筐体構造は、側面板３０が上部筐体１０の表面板１１に連設される上部側面板３１と下部筐体２０の底面板２１から連設される下部側面板３２とから構成される。そして、下部筐体２０の回動支持軸２５が上部筐体１０の上部側面板３１を支持した状態で、上部筐体１０を下部筐体２０から離間させると、上部側面板３１と下部側面板３２とが分割するように構成している。
【００３２】
このように、筐体の開状態において、上部筐体１０に上部側面板３１が付帯し、上部側面板３１が表面板１１の側面の姿勢を保持する構成であると、上部筐体１０の側面の剛性が高まり、上部筐体１０が下部筐体２０から離間して支持された状態であっても上部筐体１０が安定的に保持される。このように、下部側面板３２の上方が安定的に開放されるため、操作者が筐体の内部、特に装置内部に設置されている内部基板や各種部品にアクセスしやすくなる。また、下部側面板３２は下部筐体２０の側方にあるため、操作者の筐体の内部へのアクセスの際に邪魔になりにくい。このため、高いメンテナンス性を維持することができる。また、上部筐体１０の剛性が高まったことで、筐体の開状態において、上部筐体１０に設置される表示部５０や操作部６０に関連する内部装置をも安定して保持することができる。よって、高いメンテナンス性を維持しつつも、安定して筐体の内部装置を保持することができる。
【００３３】
また、上記構成のミキサー装置１の筐体構造において、上部側面板３１には、断面形状において、下部側面板３２の第一受部３２Ａに当接する第一当接部３１Ａと、第一当接部３１Ａよりも上部筐体１０の内側に形成され下部側面板３２の第二受部３２Ｂに当接する第二当接部３１Ｂと、を有する。このように、上部側面板３１が、下部側面板３２に対して２箇所で当接するように構成することで、確実に側面板３０の姿勢を保ち、安定して筐体の内部基板を保持することができる。
【００３４】
また、上記構成のミキサー装置１の筐体構造において、上部側面板３１の下端には、内側に傾斜するガイド部３１Ｃを有する。このように構成すると、筐体を開状態から閉状態にする際、上部側面板３１の下端と下部側面板３２の上端が当接する場合に、ガイド部３１Ｃが、上部側面板３１を下部側面板３２の内側に確実に案内するため、上部筐体１０を円滑に下部筐体２０に対して組み付けることができる。
【００３５】
また、上記構成のミキサー装置１の筐体構造において、上部側面板３１には、回動支持軸２５に対して回動させるための軸受溝３１Ｘが形成される。これにより、上部筐体１０を下部筐体２０から離間させる際に、軸受溝３１Ｘを回動支持軸２５に当接させて回動支持軸２５を回転中心として移動させれば、上部筐体１０を回動させることのみの動作で、上部筐体１０を下部筐体２０から離間させることができる。すると、上部筐体１０に重量がある場合でも、上部筐体１０を少ない操作力で開状態にすることができる。これにより、操作者が筐体内部にアクセスしやすくなり、メンテナンス性がさらに向上する。
【００３６】
なお、上述の実施形態では、ミキサー装置１の手前側に回動支持軸２５とこれに係合する軸受溝３１Ｘが構成され、開状態となる場合に、上部筐体１０が手前側に開くこととしたが、これに限るものではない。例えば、上部筐体１０が奥側に開く構成としてもよい。図７は、ミキサー装置１の変形例を示す図である。図７に示すように、下部筐体２０の下部側面板３２の奥側の上部に回動支持軸２６を配設する一方、上部筐体１０の上部側面板３１の奥側の下部に回動支持軸２６と係合する軸受溝３１Ｙを形成してもよい。
【００３７】
また、上述の実施形態では、上部筐体１０を下部筐体２０に対して固定支持する構成として、回動支持軸２５と軸受溝３１Ｘや、回動支持軸２６と軸受溝３１Ｙというヒンジ構成としたが、少なくとも開状態において上部筐体１０が下部筐体２０に対して固定支持されればよく、上部筐体１０を下部筐体２０に固定支持する構造は、ヒンジ構成に限るものではない。
【００３８】
以上本発明の実施形態を説明したが、本発明は上記実施形態に限定されるものではなく、特許請求の範囲、及び明細書と図面に記載された技術的思想の範囲内において種々の変形が可能である。
【符号の説明】
【００３９】
１…ミキサー装置、１０…上部筐体、１１…表面板、１８…固定部、２０…下部筐体、２１…底面板、２５…回動支持軸、２６…回動支持軸、２８…固定部、３０…側面板、３１…上部側面板、３１Ａ…第一当接部、３１Ｂ…第二当接部、３１Ｃ…ガイド部、３１Ｘ…軸受溝、３１Ｙ…軸受溝、３２…下部側面板、３２Ａ…第一受部、３２Ｂ…第二受部、５０…表示部、５１…表示パネル部、５２…ディスプレイ、５３…スイッチ類、５４…ロータリーボリューム、６０…操作部、６１…操作パネル部、６２…スイッチ類、６３…フェーダ操作子、６４…液晶表示部、７０…回路基板
【図１】
2016127164.tif 000003
【図２】
2016127164.tif 000004
【図３】
2016127164.tif 000005
【図４】
2016127164.tif 000006
【図５】
2016127164.tif 000007
【図６】
2016127164.tif 000008
【図７】
2016127164.tif 000009